(57)【要約】【課題】舞台照明用カラーフィルタは、各種を着色して構成されおり、この場合、光源からの高熱によって溶解されるおそれがり、また、長時間使用により、不鮮明になる現象がある。このため、高価なカラーフィルタを度々交換する必要がある上、煩雑作業の繰り返しでもある。【解決手段】枠体で挟持する照明用カラーフィルタ装置において、前記枠体には、スペーサーを設けると共に空気流通部を設け、前記枠体の光源側には耐熱ガラスを配置し、その前面にはカラーフィルタを配置し、そのカラーフィルタと前記耐熱ガラスとの間には、前記空気流通部と連通し、前記スペーサによって形成される空気流通層を構成し、前記カラーフィルタの前面には、保護網を設けた構成である。【選択図】図２
2009054379.tif 000002
【特許請求の範囲】
【請求項１】
枠体で挟持する照明用カラーフィルタ装置において、前記枠体には、空気流通部を設け、前記枠体の光源側には耐熱ガラスを配置し、その前面にはカラーフィルタを配置し、そのカラーフィルタと前記耐熱ガラスとの間には、前記空気流通部と連通し、スペーサーによって形成される空気流通層を構成し、前記カラーフィルタの前面には、保護網を設けた舞台照明用カラーフィルタ装置。
【請求項２】
前記カラーフィルタは、分割構成とした請求項１記載の舞台照明用カラーフィルタ装置。
【請求項３】
前記耐熱ガラスは、分割構成とした請求項１記載の舞台照明用カラーフィルタ装置。
【発明の詳細な説明】
【技術分野】
【０００１】
本発明は、舞台に用いる照明用カラーフィルタ装置に関するものである。
【背景技術】
【０００２】
舞台照明用カラーフィルタは、着色された樹脂フィルムにより構成されおり、この場合、光源からの高熱によって溶解されるおそれがり、また、長時間使用により、不鮮明になる現象がある。このため、高価なカラーフィルタを度々交換する必要があり、使い捨てになる上、煩雑作業の繰り返しでもある。
【０００３】
【特許文献１】特開２００４−３１７９０９
【特許文献２】特開平６ー３２８６４２  文献１は、フィルタで強調される可視光線を選択的に透過させ、フィルタに余分のエネルギーを与えないようにして、前記問題点を解決するものであり、文献２は、カラーフィルタに特別の塗布層を形成して問題を解決するものである。
【発明の開示】
【発明が解決しようとする課題】
【０００４】
しかしながら、これらの従来技術では、上述した問題を十分には解決していない。
本発明は、このような課題を解決することを目的とするものである。
【課題を解決するための手段】
【０００５】
本発明は、枠体で挟持する照明用カラーフィルタ装置において、前記枠体には、空気流通部を設け、前記枠体の光源側には耐熱ガラスを配置し、その前面にはカラーフィルタを配置し、そのカラーフィルタと前記耐熱ガラスとの間には、スペーサによって形成され、前記空気流通部と連通する空気流通層を構成し、前記カラーフィルタの前面には、保護網を設けると共に、更には、前記カラーフィルタは分割構成として、前記問題を解決するものである。
【発明の効果】
【０００６】
前記構成により、カラーフィルタは、第一段で、耐熱ガラス（ホウケイ酸ガラス、熱線カットフィルタ）により、保護されると共に、第二段で、空気流通層により保護される。即ち、空気流通層は、枠体に設けた空気流通部と連通されており、カラーフィルタは、その全面が空気流通層に直接接しているので、効果的な熱の放散作用受ける。このように、カラーフィルタは、二段的に保護されると同時に、耐熱ガラスも空気流通層により高温化を避けることができる。
【０００７】
更に、カラーフィルタを、分割的に構成することにより、隣接面において、熱膨張を吸収することができると共に、また、交換するような事態が生じたとしても、部分的に交換することができるから、カラーフィルタの節約を実施することができる。
このことは、耐熱ガラスにおいても、同様に分割的に構成することによって、同様な作用効果が達成できる。
【発明を実施するための最良の形態】
【０００８】
以下、本発明の実施例を図面をと共に説明する。
図１は、本発明の照明装置を含めた説明的斜視である。図２は、本発明の正面図である。図３は、図２のＡーＡ線拡大説明である。図４は、図３のＢ−Ｂ線拡大断面図である。図５は、本発明の正面説明図である。
符号１は枠体であり、２は枠体に設けたスペーサである。３は枠体の周囲に設けた空気流通部である。枠体１において、光源側には、耐熱ガラス４（ホウケイ酸ガラス、熱線カットフィルタ）を配置する。その耐熱ガラス４の前面には、カラーフィルタ５（ソーダライム、ホウケイ酸からなるもの）を配置する。このカラーフィルタ５は、枠体１に設けたスペーサ２により、前記耐熱ガラス４との間に、空気流通層６が介在するように構成される。空気流通層６は、枠体１に設けた前記空気流通部３と連通している。
【０００９】
空気流通部３は、円孔形状でも、長円孔形状でも、長短スリット形状でもよい。また、枠体１は、正面方形形状でも、円形形状でもよく、光源装置８と枠体挿入部９等の形状に合わせればよい。更に、枠体１及びスペーサ２は、金属製又は非鉄金属製の耐火物（セラミックス）、或いはそれらの組み合わせで構成してもよい。カラーフィルタ５は、分割構成するが、この場合には、熱の分割化を図ることができ、隣接面において、熱膨張による損傷等を避けることができる。なお、カラーフィルタ５は、図２において、二点鎖線で示す保護網７により、外部からの衝撃等から保護されている。
【００１０】
以上の構成において、図１において、光源装置８の枠体装入部９に枠体１を装入して、枠体１に構成したカラーフィルタ４を舞台で使用する。この時、光源装置８からの高出力の放射を長時間うけると、耐熱ガラス４は、高温にさらされるが、カラーフィルタ５は、耐熱ガラス４により、保護されると同時に、耐熱ガラス２とカラーフィルタ５との間に介在している空気流通層６により保護される。空気流通層６は、空気流通部３と連通しているので、カラーフィルタ５は、空気流通層６により、直に高温にさらされることないない上、カラーフィルタ５の全面が空気流通層６に接しているので、その全面において、効果的な熱の放散作用受け、高温から保護される。この時、耐熱ガラス４は、分割的に構成されているので、熱の分割化を図ることができ、隣接面において、熱膨張を吸収することができる。また、分割構成により、必要に応じて所望個所の部分的な交換ができる。このことは、耐熱ガラス４においても、また、同様である。
【産業上の利用可能性】
【００１１】
本発明は、以上の通りであるので、カラーフィルタは、耐熱ガラスと、空気流通層とにより、二段的に保護されているので、その保護が効果的に行われる。また、耐熱ガラスとカラーフィルタが分割構成されているので、熱膨張による保護と、必要に応じて、所望個所の交換が容易であることによるカラーフィルタの節約等の効果もある。
【図面の簡単な説明】
【００１２】
【図１】本発明の照明装置を含めた説明的斜視である。
【図２】本発明の正面図である。
【図３】図２のＡーＡ線拡大説明である。
【図４】図３のＢ−Ｂ線拡大断面図である。
【図５】本発明の正面説明図である。
【符号の説明】
【００１３】
１                                  枠体
２                                  スペーサ
３                                  空気流通部
４                                  耐熱ガラス
５                                  カラーフィルタ
６                                  空気流通層
７                                  保護網
８                                  光源装置
９                                  枠体挿入部
【図１】
2009054379.tif 000003
【図２】
2009054379.tif 000004
【図３】
2009054379.tif 000005
【図４】
2009054379.tif 000006
【図５】
2009054379.tif 000007